(57)【要約】【課題】  ディスクの情報記録面から記録情報を読み取るピックアップの移動を水平にガイドするピックアップ送りベース部材の傾角調整を容易化する。【解決手段】  ターンテーブルに載置されたディスク面に対向して該ディスクの半径方向に移動して記録情報の読み出しを行うピックアップと、前記ピックアップの移動を水平にガイドするピックアップ送りベース部材と、前記をピックアップ送りベース部材を一方向に付勢する付勢部材とを有し、前記ピックアップ送りベース部材を再生ベースに３点で支持し、その高さ固定の基準点と第１の高さ調整点の２点は前記ピックアップ送りベース部材の一端側に設け、第２の高さ調整点の１点は前記ピックアップ送りベース部材の他端側に設けたものである。【選択図】        図３
2006221718.tif 000002
【特許請求の範囲】
【請求項１】
ターンテーブルを駆動するモータを取り付けた再生ベースと、前記ターンテーブルに載置されたディスクの半径方向に移動して該ディスクの情報記録面から記録情報の読み出しを行うピックアップと、前記ピックアップを前記半径方向に移動させる移動手段と、前記ピックアップの移動を水平にガイドするピックアップ送りベース部材と、前記ピックアップ送りベース部材を一方向に付勢する付勢部材とを有するディスク再生装置において、前記ピックアップ送りベース部材を前記再生ベースに３点で支持し、その高さ固定の基準点と第１の高さ調整点の２点は前記ピックアップ送りベース部材の一端側に設け、第２の高さ調整点の１点は前記ピックアップ送りベース部材の他端側に設けたことを特徴するディスク再生装置。
【請求項２】
高さ固定の基準点を通り、ピックアップガイド軸線と直交する線上に第１の高さ調整点を設け、前記高さ固定の基準点を通り、前記ピックアップガイド軸線と平行する線上に第２の高さ調整点を設けたことを特徴とする請求項１記載のディスク再生装置。
【請求項３】
高さ固定の基準点を通り、ピックアップガイド軸線と直交する線上の該ピックアップガイド軸線との交点に第１の高さ調整点を設け、前記高さ固定の基準点を通り、前記ピックアップガイド軸線と平行する線上に第２の高さ調整点を設けたことを特徴とする請求項１記載のディスク再生装置。
【請求項４】
高さ固定の基準点と第１の高さ調整点とにおけるピックアップ送りベース部材の付勢方向を同一方向とし、前記高さ固定の基準点と第１の高さ調整点との略中間位置に前記ピックアップ送りベース部材の付勢部材を設けたことを特徴とする請求項２または請求項３記載のディスク再生装置。
【発明の詳細な説明】
【技術分野】
【０００１】
この発明はディスク再生装置、特に、ディスクの情報記録面から記録情報を読み取るピックアップの移動を水平にガイドするピックアップ送りベース部材の傾角調整を容易化したディスク再生装置に関するものである。
【背景技術】
【０００２】
従来、この種のディスク再生装置は、ピックアップの対物レンズからの照射光でディスクの記録面を走査する際、対物レンズの光軸をディスクの記録面に対して垂直にして該ディスクの半径方向にピックアップを移動させなければならない。このため、再生ベースとしてのシャーシ上にはターンテーブルを駆動するモータと、ディスクの情報記録面から記録情報を読み取るピックアップを該ディスクの半径方向に案内するガイド部材を該ピックアップの左右両側に位置するように設け、その一方のガイド部材はピックアップを移動させる移動部材とし、他方のガイド部材はシャーシに対して高さ調整を行うピックアップ送りベース部材とし、ピックアップに設けた対物レンズの光軸をディスクの記録面に対して常に垂直にして水平移動を可能としている（例えば、特許文献１参照）。
【０００３】
【特許文献１】特開２００１−０９３１６１号公報（［００１１］、図１）
【発明の開示】
【発明が解決しようとする課題】
【０００４】
従来のディスク再生装置は以上のように構成されているので、対物レンズの光軸がディスクの記録面に垂直になるように調整するには、ピックアップを水平に案内するピックアップ送りベース部材全体を、シャーシに対して上下動させて高さ調整しなければならない。このため、そのピックアップ送りベース部材を支持する支持部材を該ピックアップ送りベース部材の周囲に広く配置する必要があり、ピックアップ送りベース部材を傾角調整するための平面寸法および厚み寸法が大きくなるという課題があった。また、傾角調整時、ピックアップをディスクの半径方向に案内するピックアップ送りベース部材を保持しながら上下動および傾角調整する必要があり、そのために精密で大型の調整装置が必要になるという課題があった。
【０００５】
この発明は上記のような課題を解消するためになされたもので、ピックアップの移動を水平にガイドするピックアップ送りベース部材の傾角調整を、大型の調整装置を用いることなく、簡単な操作で高精度に行うことのできるディスク再生装置を得ることを目的とする。
【課題を解決するための手段】
【０００６】
この発明に係るディスク再生装置は、ターンテーブルに載置されたディスク面に対向して該ディスクの半径方向に移動して記録情報の読み出しを行うピックアップと、前記ピックアップを前記半径方向に移動させる移動手段と、前記ピックアップの移動を水平にガイドするピックアップ送りベース部材と、前記をピックアップ送りベース部材を一方向に付勢する付勢部材とを有し、前記ピックアップ送りベース部材を再生ベースに３点で支持し、その高さ固定の基準点と第１の高さ調整点の２点は前記ピックアップ送りベース部材の一端側に設け、第２の高さ調整点の１点は前記ピックアップ送りベース部材の他端側に設けたものである。
【発明の効果】
【０００７】
この発明によれば、ピックアップ送りベース部材を再生ベースに３点で支持し、その高さ固定の基準点と第１の高さ調整点の２点は前記ピックアップ送りベース部材の一端側に設け、第２の高さ調整点の１点は前記ピックアップ送りベース部材の他端側に設けた構成としたので、第１、第２の高さ調整点を調整するのみの、きわめて簡単な操作で高精度にピックアップ送りベース部材の傾角調整を行うことができる効果がある。また、ピックアップ送りベース部材は再生ベースに対して大きな支持面積を必要とせず、ディスク再生装置を小型、かつ簡単な構成とすることができる効果がある。
【発明を実施するための最良の形態】
【０００８】
以下、この発明の実施の一形態を図面について詳細に説明する。
実施の形態１．
図１は実施の形態１を示す再生部を上面から見た斜視図、図２はその再生部を下面から見た斜視図、図３は図２において一部を分解して示した斜視図、図４はピックアップ送りベース部材の正面図、図５は図２におけるａ−ａ線に沿う横断面図、図６は図２におけるｂ−ｂ線に沿う横断面図である。
【０００９】
図１から図６において、再生ベース１には、ピックアップ３、ターンテーブル５ａを駆動するディスクモータ５、ピックアップ３の往復移動をガイドする送りねじ軸２およびピックアップ送りベース部材４、ピックアップ３を移動させる駆動モータＭ等を有する。
再生ベース１は、例えば、金属板のプレス成形により略長方形に形成し、その平面部１ａの中央部にはピックアップ３を収納移動させる空間としての窓１ｂを有し、平面部１ａの一部の周縁には略直角に折り曲げた折り曲げ部１ｃを有する。この再生ベース１は図示を省略したディスク再生装置の筺体内に固定する。
【００１０】
ピックアップ３は、略四角な枠体３ａの中央に対物レンズ３ｂを有し、その一側には平行に２本の軸受け部３ｃ、３ｃが突設され、他側には軸受け部３ｄが突設されている。このピックアップ３は再生ベース１の窓１ｂ内に配置され、この窓１ｂの両側に平行に設けられた送りねじ軸２およびピックアップ送りベース部材４に支持される。図示例は、ピックアップ３の他側に突設した軸受け部３ｄをピックアップ送りベース部材４に当接させ、一側に突設した軸受け部３ｃ、３ｃの穴３ｃ１、３ｃ１に送りねじ軸２を係合貫通させている。また、送りねじ軸２はその両端部を再生ベース１の軸受け１ｄに回転可能に支持されている。
【００１１】
ディスクモータ５はその基板５ｂの周辺の３箇所に設けた穴５１に通したねじ５２を再生ベース１の一端側に設けた３箇所のねじ穴２１にねじ込んで該再生ベースに固定し、このディスクモータ５の回転軸にターンテーブル５ａを取り付けている。また、再生ベース１の窓１ｂを挟んだ他端側には駆動モータＭが設けられ、図示を省略した動力伝達用のギャ列を介して送りねじ軸２を回転駆動するようになっている。
【００１２】
ピックアップ送りベース部材４は、再生ベース１に３点で支持し、その１点を高さ固定の基準点Ｐ１とし、他の２点を第１、第２の高さ調整点Ｐ２，Ｐ３としている。この基準点Ｐ１は突起部８１と基板５ｂの当接点、第１の高さ調整点Ｐ２は高さ調整ねじ２２とピックアップ送りベース部材４との当接点、第２の高さ調整点Ｐ３は高さ調整ねじ２３の再生ベース１のねじ込み点であるが、図示例は見やすいように、各点の延長線上に符号を付している。この場合、高さ固定の基準点Ｐ１を通り、ピックアップガイド軸線Ｘと直交する線上に第１の高さ調整点Ｐ２を設け、前記基準点Ｐ１を通り、前記ピックアップガイド軸線Ｘと平行する線上に第２の高さ調整点Ｐ３を設けている。
【００１３】
再生ベース１とピックアップ送りベース部材４との間には、図５、図６に示すように、高さ固定の基準点Ｐ１、第１、第２の高さ調整点Ｐ２，Ｐ３に対応する位置に圧縮コイルばね等の付勢部材４４，４５，４６を介在させている。そして、一端側はディスクモータ５の基板５ｂに形成したねじの通し穴５１とピックアップ送りベース部材４の形成したねじ通し穴４１に通した取り付けねじ５２を再生ベース１のねじ穴２１にねじ込むことにより支持し、他端側はピックアップ送りベース部材４のねじの通し穴４２に通しねじ２３を再生ベース１のねじ穴２６にねじ込むことにより支持している。
【００１４】
上記の付勢部材４４，４５は、再生ベース１の平面に形成された凸部１ｅ，１ｅによって位置ずれが生じないように設けられており、圧縮コイルばね４６は再生ベース１の平面に立てたピン１ｆによって位置ずれが生じないように設けられている。このため、ピックアップ送りベース部材４は圧縮コイルばね４４，４５，４６で押し上げ方向に付勢されている。
【００１５】
次に動作について説明する。
ターンテーブル５ａに載置したディスクを該ターンテーブル上に突出しているラッチ爪６１でラッチした状態において、駆動モータＭを駆動させると、ピックアップ３は、送りねじ軸２の回転によってピックアップ送りベース部材４の上面を水平ガイドとして、ディスクの半径方向（ラジアル方向）に移動する。
【００１６】
この場合、ターンテーブル５ａに記載されたディスクに対するピックアップ３の傾き、つまり、ピックアップフォーカス方向高さは、送りねじ軸２と係合する軸受け３ｃ，３ｃとピックアップ送りベース部材４上に当接する軸受け部３ｄの３点により規定される。
ここで、ピックアップ３のラジアル方向の傾きは支持腕３ｃ、３ｃの高低差で規定され、タンジェンシャル方向の傾きは、送りねじ軸２に対する軸受け部３ｄの高低差で規定される。
【００１７】
図３に示すように、ピックアップ送りベース部材４には、高さ基準点Ｐ１となる突起部８１が一体で設けられており、その裏側に設けられた圧縮コイルばね４４により、突起部８１はディスクモータ５の基板５ｂに付勢されて当接し高さ固定の基準点Ｐ１が決定される。ディスクモータ５の基板５ｂには、タップ部５ｃが設けられ、これに螺合したねじ２２の先端部２２ａがピックアップ送りベース部材４に当接して第１調整点Ｐ２の高さが規定される。同様に、ねじ２２とは反対側のピックアップ送りベース部材４の端部にも付勢部材４６が配置され、ピックアップ送りベース部材４を面外方向に付勢している。調整ねじ２３はピックアップ送りベース部材４のねじ通し穴４２を通して再生ベース１のねじ穴２６に螺合し、そのねじ頭２３ａでピックアップ送りベース部材４の面外方向の変位を規制することで、ピックアップ送りベース部材４の第２調整点Ｐ３の高さが規定される。
【００１８】
上記の３点Ｐ１，Ｐ２，Ｐ３は、図４に示す位置に配置されている。したがって、第１調整点Ｐ２を高さ調整することにより、基準点Ｐ１と第２調整点Ｐ３を結ぶ軸線回りにピックアップ送りベース部材４が回動する。これにより、ピックアップ３の軸受け部３ｄが当接するピックアップガイド軸線部Ｘの高さが変化し、ピックアップ３のタンジェンシャル方向の傾き調整が行われる。
【００１９】
次に第２の調整点Ｐ３を高さ調整することにより、基準点Ｐ１と第１の調整点Ｐ２を結ぶ軸線回りにピックアップ送りベース部材４が回動する。これにより、ピックアップ３の軸受け部３ｄが当接するピックアップガイド軸線部Ｘのラジアル方向の傾きが変化し、ピックアップ３がディスクラジアル方向にスライドした場合でも、ディスク平面に対するピックアップ３の傾きが変化しないようにピックアップ送り部材４を送りねじ軸２に対して、平行に位置決め調整をすることができる。
【００２０】
以上のように、実施の形態１によれば、ピックアップ送りベース部材４を再生ベース１に３点で支持し、その１点を高さ固定の基準点Ｐ１とし、他の２点を第１、第２の高さ調整点Ｐ２、Ｐ３として構成したので、第１、第２の高さ調整点Ｐ２、Ｐ３の高さを調整するだけで、ピックアップガイド軸線部Ｘのピックアップフォーカス方向高さ、およびピックアップラジアル方向の傾きを大型の調整装置を用いることなく、小型かつ簡単な操作で容易に調整することができる効果がある。
【００２１】
実施の形態２．
図７は実施の形態２におけるピックアップ送りベース部材４の平面図を示すもので、ピックアップ送りベース部材４を再生ベース１に支持する第１の高さ調整点Ｐ２を、ピックアップガイド軸線部Ｘ上に設けた構成である。この実施の形態２の構成によれば、第１の高さ調整点Ｐ２で高さ調整をすることにより、ピックアップガイド軸線部Ｘの一端を直接調整、固定することになる。この結果、調整後、ピックアップガイド軸線部Ｘが外部から受ける振動等の外乱に対し、位置ずれが生じにくくなるという効果がある。
【００２２】
実施の形態３．
図８は実施の形態３を示す再生部の一部を分解して示した斜視図、図９はその要部の横断面であり、図１から図４に示す実施の形態１と同一部分には同一符号を付して重複説明は省略する。この実施の形態３は高さ固定の基準点Ｐ１と第１の高さ調整点Ｐ２の付勢方向を同一方向とし、この両点の略中間位置に付勢部材４７を設けた構成である。この実施の形態３の構成によれば、１つの付勢部材４７によって２点の付勢が可能となる。この結果、付勢部材の使用個数を実施の形態１、２に比べて少なくでき、構成の簡略化および低廉化を図ることができるという効果がある。
【図面の簡単な説明】
【００２３】
【図１】実施の形態１の再生部を上面から見た斜視図である。
【図２】実施の形態１の再生部を下面から見た斜視図である。
【図３】図２において、一部を分解して示した斜視図である。
【図４】ピックアップ送りベース部材の正面図である。
【図５】図２のａ−ａ線に沿う横断面図である。
【図６】図２のｂ−ｂ線に沿う横断面図である。
【図７】実施の形態２におけるピックアップ送りベース部材の平面図である。
【図８】実施の形態３の再生部の一部を分解して示した斜視図である。
【図９】図８の要部の横断面図である。
【符号の説明】
【００２４】
１  再生ベース、２  送りねじ軸、３  ピックアップ、４  ピックアップ送りベース部材、５  ディスクモータ、５ａ  ターンテーブル、２２，２３  高さ調整ねじ、４４，４５，４６  付勢部材（圧縮コイルばね）、Ｐ１  高さ固定の基準点、Ｐ２，Ｐ３  第１、第２の高さ調整点。
【図１】
2006221718.tif 000003
【図２】
2006221718.tif 000004
【図３】
2006221718.tif 000005
【図４】
2006221718.tif 000006
【図５】
2006221718.tif 000007
【図６】
2006221718.tif 000008
【図７】
2006221718.tif 000009
【図８】
2006221718.tif 000010
【図９】
2006221718.tif 000011